(57)【要約】【課題】受像装置の機種情報と映像信号に含まれる映像情報とに基づいて画質設定情報を取得して、その画質設定情報により画質調整を行う。【解決手段】映像信号発生部２０は放送信号や記録媒体に記録された信号から映像信号を発生する。機種情報通知部５１は受像部５０の機種情報を通知する。画質設定情報取得部４０は映像信号発生部２０からの映像信号に含まれる映像情報（ジャンルやディスク情報）および機種情報通知部５１からの機種情報に基づいて画質推奨サーバ６０に画質設定情報を問合せる。画質設定情報取得部４０は画質推奨サーバ６０から画質設定情報を取得するとその画質設定情報を画質調整部５２に供給する。画質調整部５２は画質設定情報取得部４０からの画質設定情報に従って映像信号発生部２０からの映像信号の画質を調整して表示部５３に供給する。【選択図】      図１
2004336317.tif 000002
【特許請求の範囲】
【請求項１】
映像信号を発生する映像信号発生手段と、
受像装置の機種情報と前記映像信号に含まれる映像情報とに基づいて画質設定情報を取得して前記受像装置に前記画質設定情報を供給する画質設定情報取得手段と
を具備することを特徴とする映像処理装置。
【請求項２】
前記映像信号発生手段は、放送信号から前記映像信号を抽出し、前記映像情報として前記放送信号のジャンルを抽出することを特徴とする請求項１記載の映像処理装置。
【請求項３】
前記映像信号発生手段は、記録媒体に記録された信号から前記映像信号を抽出して、前記映像情報として前記記録媒体の識別子を示すことを特徴とする請求項１記載の映像処理装置。
【請求項４】
前記映像信号発生手段は、前記映像信号として記録媒体に記録された信号を抽出して、前記映像情報として前記記録媒体の識別子および前記記録媒体における論理アドレスを示すことを特徴とする請求項１記載の映像処理装置。
【請求項５】
映像信号を発生する映像信号発生手段と、
受像装置の機種情報と前記映像信号に含まれる映像情報とに基づいて画質設定情報を取得する画質設定情報取得手段と、
前記画質設定情報に従って前記映像信号の画質調整を行って前記受像装置に供給する画質調整手段と
を具備することを特徴とする映像処理装置。
【請求項６】
映像信号を表示する表示手段と、
前記映像信号を発生する映像信号発生手段と、
機種情報を通知する機種情報通知手段と、
前記機種情報と前記映像信号に含まれる映像情報とに基づいて画質設定情報を取得する画質設定情報取得手段と、
前記画質設定情報に従って前記表示手段における画質を調整する画質調整手段と
を具備することを特徴とする映像処理装置。
【請求項７】
前記映像信号発生手段は、放送信号から前記映像信号を抽出し、前記映像情報として前記放送信号のジャンルを抽出することを特徴とする請求項６記載の映像処理装置。
【請求項８】
前記映像信号発生手段は、記録媒体に記録された信号から前記映像信号を抽出して、前記映像情報として前記記録媒体の識別子を示すことを特徴とする請求項６記載の映像処理装置。
【請求項９】
前記映像信号発生手段は、前記映像信号として記録媒体に記録された信号を抽出して、前記映像情報として前記記録媒体の識別子および前記記録媒体における論理アドレスを示すことを特徴とする請求項６記載の映像処理装置。
【請求項１０】
前記画質調整手段は、前記画質設定情報に従った画質調整を行う際に確認を促すことを特徴とする請求項６記載の映像処理装置。
【請求項１１】
映像処理装置と、この映像処理装置における画質設定情報を供給する画質推奨サーバと、前記映像処理装置と前記画質推奨サーバとを接続するネットワークとを具備する映像処理システムであって、
前記映像処理装置は、映像信号を表示する表示手段と、前記映像信号を発生する映像信号発生手段と、機種情報を通知する機種情報通知手段と、前記機種情報と前記映像信号に含まれる映像情報とに基づいて前記画質推奨サーバから画質設定情報を取得する画質設定情報取得手段と、前記画質設定情報に従って前記表示手段における画質を調整する画質調整手段とを備える
ことを特徴とする映像処理システム。
【請求項１２】
前記映像信号発生手段は、放送信号から前記映像信号を抽出し、前記映像情報として前記放送信号のジャンルを抽出し、
前記画質推奨サーバは、前記ジャンルと標準画質の設定情報との対応付けを保持する標準画質データベースと、前記機種情報と前記標準画質に基づく画質設定情報との対応付けを保持する機種データベースとを備え、前記画質設定情報取得手段からの前記ジャンルと前記機種情報とに基づいて前記画質設定情報を供給する
ことを特徴とする請求項１１記載の映像処理システム。
【請求項１３】
前記映像信号発生手段は、記録媒体に記録された信号から前記映像信号を抽出して、前記映像情報として前記記録媒体の識別子を示し、
前記画質推奨サーバは、前記記録媒体の識別子とジャンルとの対応付けを保持する記録媒体データベースと、前記ジャンルと標準画質の設定情報との対応付けを保持する標準画質データベースと、前記機種情報と前記標準画質に基づく画質設定情報との対応付けを保持する機種データベースとを備え、前記画質設定情報取得手段からの前記記録媒体の識別子と前記機種情報とに基づいて前記画質設定情報を供給する
ことを特徴とする請求項１１記載の映像処理システム。
【請求項１４】
前記映像信号発生手段は、前記映像信号として記録媒体に記録された信号を抽出して、前記映像情報として前記記録媒体の識別子および前記記録媒体における論理アドレスを示し、
前記画質推奨サーバは、前記記録媒体の識別子および前記記録媒体における論理アドレスとジャンルと標準画質の設定情報との対応付けを保持する記録媒体データベースと、前記機種情報と前記標準画質に基づく画質設定情報との対応付けを保持する機種データベースとを備え、前記画質設定情報取得手段からの前記記録媒体の識別子および前記記録媒体における論理アドレスと前記機種情報とに基づいて前記画質設定情報を供給する
ことを特徴とする請求項１１記載の映像処理システム。
【請求項１５】
映像信号から映像情報を抽出する手順と、
受像装置の機種情報を取得する手順と、
前記映像情報と前記機種情報とに基づいて画質設定情報を取得する手順と、
前記受像装置に前記画質設定情報を供給する手順と
を具備することを特徴とする映像処理方法。
【請求項１６】
放送信号からジャンルを抽出する手順と、
受像装置の機種情報を取得する手順と、
前記ジャンルと前記機種情報とに基づいて画質設定情報を取得する手順と、
前記受像装置に前記画質設定情報を供給する手順と
を具備することを特徴とする映像処理方法。
【請求項１７】
記録媒体から当該記録媒体の識別子を抽出する手順と、
受像装置の機種情報を取得する手順と、
前記記録媒体の識別子と前記機種情報とに基づいて画質設定情報を取得する手順と、
前記受像装置に前記画質設定情報を供給する手順と
を具備することを特徴とする映像処理方法。
【請求項１８】
記録媒体から当該記録媒体の識別子および前記記録媒体における論理アドレスを抽出する手順と、
受像装置の機種情報を取得する手順と、
前記記録媒体の識別子および前記記録媒体における論理アドレスと前記機種情報とに基づいて画質設定情報を取得する手順と、
前記受像装置に前記画質設定情報を供給する手順と
を具備することを特徴とする映像処理方法。
【請求項１９】
映像信号から映像情報を抽出する手順と、
受像装置の機種情報を取得する手順と、
前記映像情報と前記機種情報とに基づいて画質設定情報を取得する手順と、
前記受像装置に前記画質設定情報を供給する手順と
をコンピュータに実行させることを特徴とするプログラム。
【請求項２０】
放送信号からジャンルを抽出する手順と、
受像装置の機種情報を取得する手順と、
前記ジャンルと前記機種情報とに基づいて画質設定情報を取得する手順と、
前記受像装置に前記画質設定情報を供給する手順と
をコンピュータに実行させることを特徴とするプログラム。
【請求項２１】
記録媒体から当該記録媒体の識別子を抽出する手順と、
受像装置の機種情報を取得する手順と、
前記記録媒体の識別子と前記機種情報とに基づいて画質設定情報を取得する手順と、
前記受像装置に前記画質設定情報を供給する手順と
をコンピュータに実行させることを特徴とするプログラム。
【請求項２２】
記録媒体から当該記録媒体の識別子および前記記録媒体における論理アドレスを抽出する手順と、
受像装置の機種情報を取得する手順と、
前記記録媒体の識別子および前記記録媒体における論理アドレスと前記機種情報とに基づいて画質設定情報を取得する手順と、
前記受像装置に前記画質設定情報を供給する手順と
をコンピュータに実行させることを特徴とするプログラム。
【発明の詳細な説明】
【０００１】
【発明の属する技術分野】
本発明は、映像処理装置に関し、特に画質設定情報を取得して受像部に供給する映像処理装置、映像処理システム、および、これらにおける処理方法ならびに当該方法をコンピュータに実行させるプログラムに関する。
【０００２】
【従来の技術】
受像機に表示される映像の画質は、受像機に採用されている方式や電気回路などの影響によって、機種毎に異なる特性を示す。そのため、表示される映像の種別によっては本来の映像効果を十分に得られない場合が生じ得る。
【０００３】
そこで、従来の映像処理装置では、処理する映像の映像情報に基づいてその映像の画質調整を行うものがある。例えば、電子番組表から映像の種別を抽出して、その映像の種別に対して予めユーザが設定しておいた画質調整の調整値を用いて映像の画質調整を行うシステムが提案されている（例えば、特許文献１および特許文献２参照。）。
【０００４】
【特許文献１】
特開２００２−１５８９４１号公報（図３）
【特許文献２】
特開２００１−２５１５６７号公報（図９）
【０００５】
【発明が解決しようとする課題】
上述の従来技術では、電子番組表から抽出した映像の種別によって自動的に画質調整を行っている。しかし、これら従来技術では、個々の受像機において視聴者が画質調整の調整値を設定する必要があり、視聴者にとってその入力作業が面倒であるという問題がある。また、映像の種別は多様化する傾向にあり、一旦設定した調整値を永続的に使用することは必ずしも得策ではない。
【０００６】
そこで、本発明の目的は、受像装置の機種情報と映像信号に含まれる映像情報とに基づいて画質設定情報を取得して、その画質設定情報により画質調整を行うことにある。
【０００７】
【課題を解決するための手段】
上記課題を解決するために本発明の請求項１記載の映像処理装置は、映像信号を発生する映像信号発生手段と、受像装置の機種情報と上記映像信号に含まれる映像情報とに基づいて画質設定情報を取得して上記受像装置に上記画質設定情報を供給する画質設定情報取得手段とを具備する。これにより、受像装置の機種情報および映像信号に含まれる映像情報に適した画質設定情報を取得するという作用をもたらす。
【０００８】
また、本発明の請求項２記載の映像処理装置は、請求項１記載の映像処理装置において、上記映像信号発生手段が、放送信号から上記映像信号を抽出し、上記映像情報として上記放送信号のジャンルを抽出する。これにより、受像装置の機種情報および放送信号に含まれるジャンルに適した画質設定情報を取得するという作用をもたらす。
【０００９】
また、本発明の請求項３記載の映像処理装置は、請求項１記載の映像処理装置において、上記映像信号発生手段が、記録媒体に記録された信号から上記映像信号を抽出して、上記映像情報として上記記録媒体の識別子を示すものである。これにより、受像装置の機種情報および記録媒体の識別子に適した画質設定情報を取得するという作用をもたらす。
【００１０】
また、本発明の請求項４記載の映像処理装置は、請求項１記載の映像処理装置において、上記映像信号発生手段が、上記映像信号として記録媒体に記録された信号を抽出して、上記映像情報として上記記録媒体の識別子および上記記録媒体における論理アドレスを示すものである。これにより、受像装置の機種情報と記録媒体の識別子および上記記録媒体における論理アドレスとに適した画質設定情報を取得するという作用をもたらす。
【００１１】
また、本発明の請求項５記載の映像処理装置は、映像信号を発生する映像信号発生手段と、受像装置の機種情報と上記映像信号に含まれる映像情報とに基づいて画質設定情報を取得する画質設定情報取得手段と、上記画質設定情報に従って上記映像信号の画質調整を行って上記受像装置に供給する画質調整手段とを具備する。これにより、受像装置の機種情報および映像信号に含まれる映像情報に適した画質設定情報を取得して画質調整を行うという作用をもたらす。
【００１２】
また、本発明の請求項６記載の映像処理装置は、映像信号を表示する表示手段と、上記映像信号を発生する映像信号発生手段と、機種情報を通知する機種情報通知手段と、上記機種情報と上記映像信号に含まれる映像情報とに基づいて画質設定情報を取得する画質設定情報取得手段と、上記画質設定情報に従って上記表示手段における画質を調整する画質調整手段とを具備する。これにより、受像装置の機種情報および映像信号に含まれる映像情報に適した画質設定情報により画質調整をして映像信号を表示するという作用をもたらす。
【００１３】
また、本発明の請求項７記載の映像処理装置は、請求項６記載の映像処理装置において、上記映像信号発生手段が、放送信号から上記映像信号を抽出し、上記映像情報として上記放送信号のジャンルを抽出するものである。これにより、受像装置の機種情報および放送信号に含まれるジャンルに適した画質設定情報により画質調整をして映像信号を表示するという作用をもたらす。
【００１４】
また、本発明の請求項８記載の映像処理装置は、請求項６記載の映像処理装置において、上記映像信号発生手段が、記録媒体に記録された信号から上記映像信号を抽出して、上記映像情報として上記記録媒体の識別子を示すものである。これにより、受像装置の機種情報および記録媒体の識別子に適した画質設定情報により画質調整をして映像信号を表示するという作用をもたらす。
【００１５】
また、本発明の請求項９記載の映像処理装置は、請求項６記載の映像処理装置において、上記映像信号発生手段が、上記映像信号として記録媒体に記録された信号を抽出して、上記映像情報として上記記録媒体の識別子および上記記録媒体における論理アドレスを示すものである。これにより、受像装置の機種情報と記録媒体の識別子および上記記録媒体における論理アドレスとに適した画質設定情報により画質調整をして映像信号を表示するという作用をもたらす。
【００１６】
また、本発明の請求項１０記載の映像処理装置は、請求項６記載の映像処理装置において、上記画質調整手段が上記画質設定情報に従った画質調整を行う際に確認を促すものである。これにより、ユーザの意図に反する画質変更を回避させるという作用をもたらす。
【００１７】
また、本発明の請求項１１記載の像処理システムは、映像処理装置と、この映像処理装置における画質設定情報を供給する画質推奨サーバと、上記映像処理装置と上記画質推奨サーバとを接続するネットワークとを具備する映像処理システムであって、上記映像処理装置は、映像信号を表示する表示手段と、上記映像信号を発生する映像信号発生手段と、機種情報を通知する機種情報通知手段と、上記機種情報と上記映像信号に含まれる映像情報とに基づいて上記画質推奨サーバから画質設定情報を取得する画質設定情報取得手段と、上記画質設定情報に従って上記表示手段における画質を調整する画質調整手段とを備える。これにより、受像装置の機種情報および映像信号に含まれる映像情報に適した画質設定情報を画質推奨サーバから取得して、その画質設定情報により画質調整をして映像信号を表示するという作用をもたらす。
【００１８】
また、本発明の請求項１２記載の像処理システムは、請求項１１記載の映像処理システムにおいて、上記映像信号発生手段は、放送信号から上記映像信号を抽出し、上記映像情報として上記放送信号のジャンルを抽出し、上記画質推奨サーバは、上記ジャンルと標準画質の設定情報との対応付けを保持する標準画質データベースと、上記機種情報と上記標準画質に基づく画質設定情報との対応付けを保持する機種データベースとを備え、上記画質設定情報取得手段からの上記ジャンルと上記機種情報とに基づいて上記画質設定情報を供給するものである。これにより、受像装置の機種情報および放送信号に含まれるジャンルに適した画質設定情報を画質推奨サーバから取得して、その画質設定情報により画質調整をして映像信号を表示するという作用をもたらす。
【００１９】
また、本発明の請求項１３記載の像処理システムは、請求項１１記載の映像処理システムにおいて、上記映像信号発生手段は、記録媒体に記録された信号から上記映像信号を抽出して、上記映像情報として上記記録媒体の識別子を示し、上記画質推奨サーバは、上記記録媒体の識別子とジャンルとの対応付けを保持する記録媒体データベースと、上記ジャンルと標準画質の設定情報との対応付けを保持する標準画質データベースと、上記機種情報と上記標準画質に基づく画質設定情報との対応付けを保持する機種データベースとを備え、上記画質設定情報取得手段からの上記記録媒体の識別子と上記機種情報とに基づいて上記画質設定情報を供給するものである。これにより、受像装置の機種情報および記録媒体の識別子に適した画質設定情報を画質推奨サーバから取得して、その画質設定情報により画質調整をして映像信号を表示するという作用をもたらす。
【００２０】
また、本発明の請求項１４記載の像処理システムは、請求項１１記載の映像処理システムにおいて、上記映像信号発生手段は、上記映像信号として記録媒体に記録された信号を抽出して、上記映像情報として上記記録媒体の識別子および上記記録媒体における論理アドレスを示し、上記画質推奨サーバは、上記記録媒体の識別子および上記記録媒体における論理アドレスとジャンルと標準画質の設定情報との対応付けを保持する記録媒体データベースと、上記機種情報と上記標準画質に基づく画質設定情報との対応付けを保持する機種データベースとを備え、上記画質設定情報取得手段からの上記記録媒体の識別子および上記記録媒体における論理アドレスと上記機種情報とに基づいて上記画質設定情報を供給するものである。これにより、受像装置の機種情報と記録媒体の識別子および上記記録媒体における論理アドレスとに適した画質設定情報を画質推奨サーバから取得して、その画質設定情報により画質調整をして映像信号を表示するという作用をもたらす。
【００２１】
また、本発明の請求項１５記載の映像処理方法は、映像信号から映像情報を抽出する手順と、受像装置の機種情報を取得する手順と、上記映像情報と上記機種情報とに基づいて画質設定情報を取得する手順と、上記受像装置に上記画質設定情報を供給する手順とを具備する。これにより、受像装置の機種情報および映像信号に含まれる映像情報に適した画質設定情報を取得して供給するという作用をもたらす。
【００２２】
また、本発明の請求項１６記載の映像処理方法は、放送信号からジャンルを抽出する手順と、受像装置の機種情報を取得する手順と、上記ジャンルと上記機種情報とに基づいて画質設定情報を取得する手順と、上記受像装置に上記画質設定情報を供給する手順とを具備する。これにより、受像装置の機種情報および放送信号に含まれるジャンルに適した画質設定情報を取得して供給するという作用をもたらす。
【００２３】
また、本発明の請求項１７記載の映像処理方法は、記録媒体から当該記録媒体の識別子を抽出する手順と、受像装置の機種情報を取得する手順と、上記記録媒体の識別子と上記機種情報とに基づいて画質設定情報を取得する手順と、上記受像装置に上記画質設定情報を供給する手順とを具備する。これにより、受像装置の機種情報および記録媒体の識別子に適した画質設定情報を取得して供給するという作用をもたらす。
【００２４】
また、本発明の請求項１８記載の映像処理方法は、記録媒体から当該記録媒体の識別子および上記記録媒体における論理アドレスを抽出する手順と、受像装置の機種情報を取得する手順と、上記記録媒体の識別子および上記記録媒体における論理アドレスと上記機種情報とに基づいて画質設定情報を取得する手順と、上記受像装置に上記画質設定情報を供給する手順とを具備する。これにより、受像装置の機種情報と記録媒体の識別子および上記記録媒体における論理アドレスとに適した画質設定情報を取得して供給するという作用をもたらす。
【００２５】
また、本発明の請求項１９記載のプログラムは、映像信号から映像情報を抽出する手順と、受像装置の機種情報を取得する手順と、上記映像情報と上記機種情報とに基づいて画質設定情報を取得する手順と、上記受像装置に上記画質設定情報を供給する手順とをコンピュータに実行させるものである。これにより、受像装置の機種情報および映像信号に含まれる映像情報に適した画質設定情報を取得して供給するという作用をもたらす。
【００２６】
また、本発明の請求項２０記載のプログラムは、放送信号からジャンルを抽出する手順と、受像装置の機種情報を取得する手順と、上記ジャンルと上記機種情報とに基づいて画質設定情報を取得する手順と、上記受像装置に上記画質設定情報を供給する手順とをコンピュータに実行させるものである。これにより、受像装置の機種情報および放送信号に含まれるジャンルに適した画質設定情報を取得して供給するという作用をもたらす。
【００２７】
また、本発明の請求項２１記載のプログラムは、記録媒体から当該記録媒体の識別子を抽出する手順と、受像装置の機種情報を取得する手順と、上記記録媒体の識別子と上記機種情報とに基づいて画質設定情報を取得する手順と、上記受像装置に上記画質設定情報を供給する手順とをコンピュータに実行させるものである。これにより、受像装置の機種情報および記録媒体の識別子に適した画質設定情報を取得して供給するという作用をもたらす。
【００２８】
また、本発明の請求項２２記載のプログラムは、記録媒体から当該記録媒体の識別子および上記記録媒体における論理アドレスを抽出する手順と、受像装置の機種情報を取得する手順と、上記記録媒体の識別子および上記記録媒体における論理アドレスと上記機種情報とに基づいて画質設定情報を取得する手順と、上記受像装置に上記画質設定情報を供給する手順とをコンピュータに実行させるものである。これにより、受像装置の機種情報と記録媒体の識別子および上記記録媒体における論理アドレスとに適した画質設定情報を取得して供給するという作用をもたらす。
【００２９】
【発明の実施の形態】
次に本発明の実施の形態について図面を参照して詳細に説明する。
【００３０】
図１は、本発明の実施の形態における映像処理システムの全体構成例を示す図である。この映像処理システムでは、映像処理装置１０と、画質推奨サーバ６０とがネットワーク７０で相互に接続されている。映像処理装置１０は、映像信号を発生してその映像信号に適した画質設定情報を取得するものである。画質推奨サーバ６０は、映像処理装置１０からの要求に従って画質設定情報を返送する。ネットワーク７０は、例えばインターネットを想定することができるが、それ以外にもローカルネットワークや公衆回線を利用した形態であってもよい。
【００３１】
映像処理装置１０は、映像信号発生部２０と、画質設定情報取得部４０とを備えている。映像信号発生部２０は、映像信号を発生するものである。この映像信号は、例えば、デジタル放送による放送信号や、ＤＶＤ（デジタル・バーサタイル・ディスク）等の記録媒体に記録された信号から抽出される。映像信号発生部２０は、このような放送信号や記録媒体に記録された信号を復調ならびに復号して映像信号を発生させる。また、映像信号発生部２０は、映像信号から映像情報を抽出する。この映像情報としては、例えば、デジタル放送におけるジャンルや、ＤＶＤの識別子およびＤＶＤにおける論理アドレス（タイトルやチャプタ等）等の情報が該当する。
【００３２】
画質設定情報取得部４０は、映像信号発生部２０により抽出された映像情報および受像部５０の機種情報に基づいて画質推奨サーバ６０に画質設定情報を要求する。画質設定情報取得部４０は、画質推奨サーバ６０から画質設定情報を取得すると、その画質設定情報を受像部５０に供給する。受像部５０は、映像信号発生部２０による映像信号を表示するものであり、図１の例のように映像処理装置１０に含まれるように構成してもよく、また、映像処理装置１０とは別個の受像装置として構成してもよい。
【００３３】
受像部５０は、機種情報通知部５１と、画質調整部５２と、表示部５３とを備える。機種情報通知部５１は、受像部５０もしくは受像装置としての機種情報を画質設定情報取得部４０に通知するものである。この機種情報は、各機種を識別するものであればよく、例えば、メーカ名および型番が該当する。なお、この機種情報通知部５１は、機種情報を保持できるものであればよく、例えば、ＲＯＭ（リード・オンリー・メモリ）等により構成することができる。表示部５３は、映像信号発生部２０による映像信号を表示する機器であり、例えば、ブラウン管、液晶、プラズマ等を用いたディスプレイにより構成することができる。画質調整部５２は、映像信号発生部２０からの映像信号の画質を調整して表示部５３に供給するものである。この画質調整部５２は、図１の例のように受像部５０に含まれるように構成してもよく、また、受像部５０とは別個の手段として構成してもよい。例えば、上述のように受像部５０を映像処理装置１０とは別個の受像装置として構成して、画質調整部５２を映像処理装置１０に設けるようにしてもよい。
【００３４】
図２は、本発明の実施の形態における映像信号発生部２０の一具体例のデジタル放送受信装置２００の構成例を示す図である。このデジタル放送受信装置２００は、プロセッサ２１０と、メモリ２２０と、フラッシュメモリ２３０と、チューナ２４０と、復調部２５０と、デマルチプレクサ２６０と、音声復号部２６７と、映像復号部２６８と、デジタル−アナログ（Ｄ／Ａ）変換部２７０と、音声出力部２７７と、映像出力部２７８と、インターフェース２９０とを備える。これらはバス２８０により接続される。また、チューナ２４０には外部機器としてアンテナ２０９が接続される。
【００３５】
プロセッサ２１０は、デジタル放送受信装置２００全体の動作を制御する。メモリ２２０は、プロセッサ２１０の主記憶に該当し、プロセッサ２１０上で動作するプログラム等が記憶される。フラッシュメモリ２３０は、不揮発性の記録媒体であり、デジタル放送受信装置２００の電源を切った後で再び必要とされる情報を保持するために使用される。従って、デジタル放送受信装置２００の電源が入ると、このフラッシュメモリ２３０の内容がメモリ２２０に転送されるようになっている。
【００３６】
チューナ２４０は、アンテナ２０９から供給された放送信号からプロセッサ２１０の制御によって所定チャンネルの信号を検波して復調部２５０に供給する。放送信号は、地上波でもよく、放送衛星（ＢＳ）放送や通信衛星（ＣＳ）放送による衛星信号でもよい。復調部２５０は、プロセッサ２１０の制御によりチューナ２４０からの放送信号を復調してデータを取り出してデマルチプレクサ２６０に供給する。デジタル放送の場合は、例えば位相変調（ＰＳＫ）等によりデジタル変調されており、復調部２５０はこのデジタル変調された信号からデータを取り出す。
【００３７】
デマルチプレクサ２６０は、復調部２５０からのデータを音声データと映像データとに分離して、音声復号部２６７および映像復号部２６８にそれぞれ供給する。デマルチプレクサ２６０は、例えばデジタルデータのトランスポートデコーダとして機能し、ＭＰＥＧ（Ｍｏｖｉｎｇ  Ｐｉｃｔｕｒｅ  Ｅｘｐｅｒｔｓ  Ｇｒｏｕｐ）−２のトランスポートストリームを音声データとしての音声ストリームと映像データとしての映像ストリームとに分離する。また、デマルチプレクサ２６０は、トランスポートストリーム中の番組仕様情報（ＰＳＩ）や番組配列情報（ＳＩ）を分離する。
【００３８】
音声復号部２６７および映像復号部２６８は、デマルチプレクサ２６０から供給された音声データおよび映像データをそれぞれ復号して、Ｄ／Ａ変換部２７０に供給する。例えば、ＭＰＥＧ符号化された音声ストリームおよび映像ストリームをＭＰＥＧ復号して、音声信号および映像信号とする。
【００３９】
Ｄ／Ａ変換部２７０は、音声復号部２６７および映像復号部２６８から供給されたデジタル信号をアナログ信号に変換して音声出力部２７７および映像出力部２７８に供給する。映像出力部２７８から出力された映像信号は画質調整部５２に供給される。音声出力部２７７から出力された音声信号は（図示しない）スピーカに供給される。
【００４０】
インターフェース２９０は、デジタル放送受信装置２００内部のバス２８０と画質設定情報取得部４０とを接続する。インターフェース２９０は、デマルチプレクサ２６０によりトランスポートストリームから分離された番組仕様情報や番組配列情報を外部に伝えることができる。番組配列情報には、後述のようにイベント情報テーブル（ＥＩＴ）が含まれており、このイベント情報テーブルから放送番組の映像情報として「ジャンル」を取得することができる。
【００４１】
このようにして、映像信号発生部２０（デジタル放送受信装置２００）から得られたジャンルと、機種情報通知部５１から得られた機種情報とに基づいて、画質設定情報取得部４０は画質推奨サーバ６０に対して画質設定情報の問合せを行う。
【００４２】
図３は、本発明の実施の形態における画質推奨サーバ６０の構成例を示す図である。この画質推奨サーバ６０は、要求解析部６７０と、データベース６００と、データベース管理部６８０と、応答部６９０とを備えている。データベース６００は、一例として、標準画質データベース６１０、機種データベース６２０、および、ディスクデータベース６３０を含んでいる。
【００４３】
要求解析部６７０は、画質設定情報取得部４０から送信された画質設定情報の問合せを受け取り、その問合せの内容を解析する。データベース６００にアクセスする必要がある場合には、データベース管理部６８０にそのアクセスを依頼する。
【００４４】
データベース管理部６８０は、要求解析部６７０からの依頼に従ってデータベース６００にアクセスする。そして、最終的に問合せの内容に合致した画質設定情報を取得すると、その画質設定情報を応答部６９０に出力する。応答部６９０は、その画質設定情報を画質設定情報取得部４０に返送する。
【００４５】
データベース６００としては、画質設定情報取得部４０からの問合せ内容に応じて画質設定情報を保持しておく必要がある。映像信号発生部２０としてデジタル放送受信装置２００を想定すると、例えば、ジャンルとそのジャンルに適した標準的な画質設定情報とを対応付けて保持する標準画質データベース６１０と、その標準的な画質設定情報から機種依存の画質設定情報を取得するための情報を機種毎に保持する機種データベース６２０とを備えることにより対応可能である。
【００４６】
図４は、本発明の実施の形態における標準画質データベース６１０の構成例を示す図である。この標準画質データベース６１０には、ジャンル６１１に対応した標準的な画質設定情報として、明るさ６１２と、コントラスト６１３と、シャープネス６１４とが保持されている。データベース管理部６８０は、画質設定情報取得部４０からの問合せ内容におけるジャンルに基づいて標準画質データベース６１０のジャンル６１１を検索し、対応する画質設定情報（明るさ６１２、コントラスト６１３、および、シャープネス６１４）を取得する。
【００４７】
この例では、ジャンル６１１として、映画、ニュース、スポーツ、音楽、社会、教育を挙げているが、これ以外にも種々のジャンル分けを設定することが可能である。
【００４８】
この標準画質データベース６１０により得られる画質設定情報は、ジャンル毎に明るさ、コントラスト、および、シャープネスの強弱を調整したものであり、各ジャンルに応じた調整は為されているものの、機種毎の特性は考慮されていない、標準的な画質設定情報である。データベース管理部６８０は、この標準的な画質設定情報を用いて機種毎の特性を考慮した画質設定情報を生成する。
【００４９】
図５は、本発明の実施の形態における機種データベース６２０の構成例を示す図である。この機種データベース６２０は、機種情報としてのメーカ６２１および型番６２２に対応する機種の画質設定情報６２３を保持する。データベース管理部６８０は、画質設定情報取得部４０からの問合せ内容における機種情報に基づいて機種データベース６２０のメーカ６２１および型番６２２を検索し、対応する画質設定情報６２３を取得する。
【００５０】
この画質設定情報６２３の左辺は、各機種における画質設定項目である。この画質設定項目は、機種毎に異なる名称のものが採用されている。例えば、第１行目のＡ社の機種では、明るさ、コントラスト、および、シャープネスからなる画質設定項目が用いられており、第２行目のＢ社の機種では、ブライトネス、コントラスト、および、シャープネスからなる画質設定項目が用いられており、さらに、第３行目のＣ社の機種では、バックライト、コントラスト、および、シャープネスからなる画質設定項目が用いられている。
【００５１】
一方、画質設定情報６２３の右辺は、標準画質データベース６１０から得られた標準的な画質設定情報（明るさ６１２、コントラスト６１３、および、シャープネス６１４）に基づく計算式となっている。データベース管理部６８０は、この計算式によって、該当機種における画質設定情報を生成する。
【００５２】
なお、ディスクデータベース６３０については、後述の他の具体例において説明する。
【００５３】
図６は、番組配列情報におけるイベント情報テーブル（ＥＩＴ）７１０の構成を示す図である。画質設定情報取得部４０が画質設定情報の問合せを行う際に用いる番組のジャンルは、このイベント情報テーブル７１０から取得できる。本発明の実施の形態における映像信号発生部２０の一具体例のデジタル放送受信装置２００では、デマルチプレクサ２６０がトランスポートストリームから番組配列情報を分離する。この番組配列情報にはイベント情報テーブル７１０が含まれており、このイベント情報テーブル７１０にジャンルが記述されている。
【００５４】
イベント情報テーブル７１０は、テーブル識別子７１１と、セクション長７１２と、サービス識別子７１３と、イベント識別子７１４と、開始時間７１５と、継続時間７１６と、記述子領域長７１７と、記述子（ディスクリプタ）７１８と、ＣＲＣ（サイクリック・リダンダンシ・チェック）７１９とを含んでいる。実際にはこれ以外の情報を含んでいるが、ここでは、本発明の実施の形態に直接関連する項目について抜粋している。
【００５５】
テーブル識別子７１１は、テーブルの種類を識別するためのものであり、具体的には「０ｘ４Ｅ」から「０ｘ６Ｆ」の範囲であればイベント情報テーブルであることを意味する。なお、ここで、「０ｘ」は以下の数字が１６進数表記であることを表す。セクション長７１２は、その直後からイベント情報テーブル７１０の最後までのバイト長を表す。サービス識別子７１３は、サービス（論理チャンネル）を識別するための番号を表す。
【００５６】
イベント識別子７１４から記述子７１８までは繰り返し部を形成しており、サービスに含まれる各イベント毎の情報が記述される。各サービス（論理チャンネル）には複数のイベント（番組）が含まれており、イベント識別子７１４は、そのイベントを識別するための番号を表す。開始時間７１５は、そのイベントの開始時刻を表す。継続時間７１６は、そのイベントの長さを表す。従って、開始時間７１５に継続時間７１６を加えたものが終了時刻となる。
【００５７】
記述子領域長７１７は、後続の記述子７１８の長さを表す。記述子７１８は、対応するイベントに関する情報を記述するものであり、例えば、コンテンツ記述子やショートイベント記述子等が含まれる。ジャンルは、このコンテンツ記述子に記述されている。従って、イベント情報テーブル７１０において、対応するイベントを検索し、そのコンテンツ記述子を抽出することによって、その番組のジャンルを知ることができる。
【００５８】
ＣＲＣ７１９は、イベント情報テーブル７１０におけるデータ誤りを検出するための巡回型冗長チェック符号であり、各イベント情報テーブル７１０の最後尾に付加される。
【００５９】
図７は、本発明の実施の形態において画質設定情報取得部４０から画質推奨サーバ６０への問合せに用いられる画質検索データの一例を示す図である。ここでは標準的ファイル形式としてＸＭＬ（ｅＸｔｅｎｓｉｂｌｅ  Ｍａｒｋｕｐ  Ｌａｎｇｕａｇｅ）言語による例を示しているが、これはＨＴＭＬ（Ｈｙｐｅｒ  Ｔｅｘｔ  Ｍａｒｋｕｐ  Ｌａｎｇｕａｇｅ）言語やＢＭＬ（Ｂｒｏａｄｃａｓｔ  Ｍａｒｋｕｐ  Ｌａｎｇｕａｇｅ）言語等の他の国際標準化言語によってもよく、また、ある特定の機器間で取り決められた規則に基づいた非標準化言語によってもよい。
【００６０】
第１行目は当該ファイルがＸＭＬ言語によるものであることを示す宣言文である。第２行目は最終行までの部分が画質検索データであることを示すタグである。第３行目ではジャンルが「音楽」である旨が記述されている。第４行目ではメーカが「Ｂ社」である旨が記述されている。第５行目では型番が「ＤＴＶ２００Ｂ」である旨が記述されている。
【００６１】
図８は、本発明の実施の形態において画質推奨サーバ６０から画質設定情報取得部４０への回答に用いられる画質設定データの一例を示す図である。標準的ファイル形式としてＸＭＬ言語による例を示しているが、これ以外の国際標準化言語や非標準化言語によってもよいことは図７と同様である。
【００６２】
第１行目は当該ファイルがＸＭＬ言語によるものであることを示す宣言文である。第２行目は最終行までの部分が画質設定データであることを示すタグである。第３行目では明るさが「８０」である旨が記述されている。第４行目ではコントラストが「６０」である旨が記述されている。第５行目ではシャープネスが「７０」である旨が記述されている。
【００６３】
この画質設定データは、画質推奨サーバ６０から画質設定情報取得部４０への回答に用いられるだけでなく、画質設定情報取得部４０から画質調整部５２への画質設定情報の供給にも用いることが出来る。
【００６４】
次に、本発明の実施の形態において映像信号発生部２０の一具体例としてデジタル放送受信装置２００を想定した場合の動作について説明する。
【００６５】
図９は、本発明の実施の形態における処理手順の一例を示す図である。デジタル放送受信装置２００において受信された放送信号は、デマルチプレクサ２６０によって音声データと映像データとに分離され、さらに番組仕様情報や番組配列情報が抽出される。そして、その番組配列情報のイベント情報テーブル７１０に含まれる記述子７１８からコンテンツ記述子が抽出され、画質設定情報取得部４０において取得される（ステップＳ９１１）。このコンテンツ記述子には、映像情報として番組のジャンルが記述されている。
【００６６】
一方、受像部５０の機種情報通知部５１から機種情報が通知され、画質設定情報取得部４０において取得される（ステップＳ９１２）。この機種情報にはメーカおよび型番が含まれる。
【００６７】
画質設定情報取得部４０は、このようにして取得した映像情報（ジャンル）と機種情報（メーカおよび型番）とに基づいて、画質推奨サーバ６０に画質設定情報の問合せを行う（ステップＳ９１３）。この問合せは、例えば図７のような形式により行われる。
【００６８】
画質推奨サーバ６０は、データベース管理部６８０を介してデータベース６００にアクセスすることにより画質設定情報を取得する。この画質設定情報は、例えば図８のような形式により画質推奨サーバ６０から画質設定情報取得部４０に供給される。
【００６９】
この画質設定情報は、画質設定情報取得部４０から画質調整部５２に供給されるが、画質調整を行う際には予めユーザに対して「視聴する映像の推奨画質を検知しました。推奨画質に変更しますか？」といった確認画面を表示する。その結果、ユーザの許諾を得られれば（ステップＳ９１４）、画質調整部５２は画質設定情報に基づいて画質調整を行う（ステップＳ９１５）。一方、ユーザが画質の変更を拒否した場合には画質調整は行われない。
【００７０】
このように、本発明の実施の形態における一具体例によれば、デジタル放送受信装置２００において受信された放送信号から映像情報としてジャンルを抽出するとともに、機種情報通知部５１から機種情報としてメーカ名および型番を取得して、これらに基づいて画質推奨サーバ６０に問い合わせることによって画質設定情報を取得して画質調整部５２に供給することができる。
【００７１】
次に、本発明の実施の形態において映像信号発生部２０の他の具体例としてディスク再生装置３００を想定した場合の構成について説明する。
【００７２】
図１０は、本発明の実施の形態における映像信号発生部２０の他の具体例のディスク再生装置３００の構成例を示す図である。このディスク再生装置３００は、プロセッサ３１０と、メモリ３２０と、フラッシュメモリ３３０と、信号検出部３４０と、復調部３５０と、デマルチプレクサ３６０と、音声復号部３６７と、映像復号部３６８と、デジタル−アナログ（Ｄ／Ａ）変換部３７０と、音声出力部３７７と、映像出力部３７８と、インターフェース３９０とを備える。これらはバス３８０により接続される。このディスク再生装置３００は、信号検出部３４０を除き、図２において説明したデジタル放送受信装置２００と同様の構成を有している。
【００７３】
信号検出部３４０は、記録媒体としてのディスク３０９から信号を検出して、その信号を復調部３５０に供給する。具体的には、サーボ制御によるスピンドルモータによりディスク３０９を回転させ、ピックアップから照射したレーザ光の反射光を受光することにより、読取り信号を生成する。この読取り信号は、信号検出部３４０内のアンプにより増幅された後、復調部３５０によりＥＦＭ（Ｅｉｇｈｔ  ｔｏ  Ｆｏｕｒｔｅｅｎ  Ｍｏｄｕｌａｔｉｏｎ）復調される。このＥＦＭ復調は、８ビットデータが１４ビットに伸長（ＥＦＭ変調）されてディスク３０９に記録されていたものを元の８ビットデータに還元するための処理である。また、復調部３５０は、ＥＦＭ復調の後にエラー訂正を行う。
【００７４】
このようにして得られたエラー訂正後の信号は、図２のデジタル放送受信装置２００と同様の手順によりデマルチプレクサ３６０によって映像信号と音声信号とに分離されて、それぞれ復号およびＤ／Ａ変換されて受像部５０に出力される。
【００７５】
図１１は、ＤＶＤにおけるビデオフォーマットを示す図である。ビデオコンテンツは、ビデオマネージャ（ＶＭＧ）８１０とよばれる管理部と、ビデオタイトルセット（ＶＴＳ）８２０とよばれる本体部とからなる。
【００７６】
ビデオマネージャ８１０は、ビデオマネージャ情報（ＶＭＧＩ）８１１と、ビデオマネージャメニュー（ＶＭＧＭ＿ＶＯＢＳ）８１２と、バックアップ（ＶＭＧＩ（ＢＵＰ））８１３とからなる。ビデオマネージャ情報８１１は、ビデオコンテンツ全体に関する制御情報である。ビデオマネージャメニュー８１２は、タイトル選択メニューのためのコンテンツである。バックアップ８１３は、ビデオマネージャ情報８１１のコピー（複製）である。
【００７７】
ビデオタイトルセット８２０の各々は、ビデオタイトルセット情報（ＶＴＳＩ）８２１と、ビデオタイトルセットメニュー（ＶＴＳＭ＿ＶＯＢＳ）８２２と、ビデオタイトルセットタイトル（ＶＴＳＴＴ＿ＶＯＢＳ）８２３と、バックアップ（ＶＴＳＩ（ＢＵＰ））８２４とからなる。ビデオタイトルセット情報８２１は、ビデオタイトルセットに対する制御情報である。ビデオタイトルセットメニュー８２２は、ビデオタイトルセット内の各種メニューのためのコンテンツである。ビデオタイトルセットタイトル８２３は、タイトルを再生するためのコンテンツである。バックアップ８２４は、ビデオタイトルセット情報８２１のコピーである。
【００７８】
このように、ＤＶＤには、ビデオマネージャ８１０による管理の下、一つ以上のビデオタイトルセットが記録されている。また、各タイトルは一つ以上のチャプタから構成される。従って、タイトルおよびチャプタを識別すれば、ＤＶＤ内の論理的な位置を特定することができる。そこで、この明細書では、このタイトルおよびチャプタを論理アドレスとよぶ。
【００７９】
また、ＤＶＤ自体を識別するためには、ＤＶＤに記録されている内容から予め識別子を生成しておく。例えば、ＤＶＤに記録されている特定のファイルについてそのファイルサイズや日付等の情報に所定のハッシュ関数を施すことにより、そのＤＶＤの識別子を生成する。上述のビデオマネージャ情報８１１を保持するファイルはＤＶＤ内に必ず存在するため、このビデオマネージャ情報８１１のファイルを用いることができる。対象ファイルとハッシュ関数を予め定めておけば、ＤＶＤの識別子として利用することができる。例えば、６４ビット程度の識別番号を生成することにすれば、異なるＤＶＤが同じ識別番号を有する確率は十分に低く、実用上は十分と考えられる。
【００８０】
従って、このＤＶＤの識別子と、上述のＤＶＤの論理アドレスとによれば、どのＤＶＤのどのチャプタであるかを一意に識別することができる。ディスク再生装置３００のプロセッサ３１０は、これらＤＶＤの識別子および論理アドレスを抽出ないし生成して、映像情報としてインターフェース３９０を介して画質設定情報取得部４０に供給する。画質設定情報取得部４０は、このディスク再生装置３００からの映像情報と、機種情報通知部５１からの機種情報とに基づいて、画質推奨サーバ６０に画質設定情報の問合せを行う。
【００８１】
図１２は、本発明の実施の形態におけるディスクデータベース６３０の一の構成例を示す図である。このディスクデータベース６３０の構成例では、ディスク識別子６３１と、論理アドレスとしてのタイトル６３２およびチャプタ６３３とにより特定されるチャプタに記録されるコンテンツのジャンル６３４が保持されている。データベース管理部６８０（図３）は、画質設定情報取得部４０からの映像情報に基づいて、ディスクデータベース６３０のディスク識別子６３１、タイトル６３２およびチャプタ６３３を検索して、対応するジャンル６３４を抽出する。
【００８２】
そして、データベース管理部６８０は、このようにして抽出したジャンル６３４により、標準画質データベース６１０（図４）のジャンル６１１を検索して、対応する標準的な画質設定情報（明るさ６１２、コントラスト６１３、および、シャープネス６１４）を取得する。さらに、データベース管理部６８０は、画質設定情報取得部４０からの問合せ内容における機種情報に基づいて機種データベース６２０（図５）のメーカ６２１および型番６２２を検索し、対応する画質設定情報６２３から該当機種における画質設定情報を生成する。
【００８３】
この図１２の例では、一旦ジャンル６３４を抽出して、そのジャンル６３４により標準画質データベース６１０を検索して標準的な画質設定情報を取得しているが、次のようにジャンルを経ずに直接、標準的な画質設定情報を取得するようにしてもよい。
【００８４】
図１３は、本発明の実施の形態におけるディスクデータベース６３０の他の構成例を示す図である。このディスクデータベース６３０の構成例では、ディスク識別子６３１と、論理アドレスとしてのタイトル６３２およびチャプタ６３３とにより特定されるチャプタに記録されるコンテンツに対する標準的な画質設定情報（明るさ６３５、コントラスト６３６、および、シャープネス６３７）が保持されている。
【００８５】
この例の場合、データベース管理部６８０は、画質設定情報取得部４０からの映像情報に基づいて、ディスクデータベース６３０のディスク識別子６３１、タイトル６３２およびチャプタ６３３を検索して、対応する標準的な画質設定情報を直接取得できる。従って、データベース管理部６８０は、標準画質データベース６１０を用いることなく、画質設定情報取得部４０からの問合せ内容における機種情報に基づいて機種データベース６２０のメーカ６２１および型番６２２を検索し、対応する画質設定情報６２３から該当機種における画質設定情報を生成することができる。
【００８６】
次に、本発明の実施の形態において映像信号発生部２０の他の具体例としてディスク再生装置３００を想定した場合の動作について説明する。
【００８７】
図１４は、本発明の実施の形態における処理手順の他の例を示す図である。ディスク再生装置３００においてディスク３０９から検出された信号は、デマルチプレクサ２６０によって音声データと映像データとに分離される。一方、プロセッサ３１０はその映像データの論理アドレス（タイトルおよびチャプタ）を抽出するとともに、ディスク識別子を生成して、これらをディスク情報（ディスク識別子および論理アドレス）として画質設定情報取得部４０に供給する。これにより、このディスク情報が画質設定情報取得部４０において取得される（ステップＳ９２１）。
【００８８】
以降の処理は図９の例と同様であり、受像部５０の機種情報通知部５１からの機種情報が画質設定情報取得部４０において取得され（ステップＳ９２２）、この機種情報とディスク情報とに基づいて画質設定情報取得部４０が画質推奨サーバ６０に画質設定情報の問合せを行う（ステップＳ９２３）。画質推奨サーバ６０は、この問合せに応じて、画質設定情報を画質設定情報取得部４０に供給する。そして、ユーザの許諾を得た後（ステップＳ９２４）、画質調整部５２が画質設定情報に基づいて画質調整を行う（ステップＳ９２５）。
【００８９】
このように、本発明の実施の形態における一具体例によれば、ディスク再生装置３００においてディスク３０９から検出された信号からディスク情報としてディスク識別子および論理アドレスを抽出するとともに、機種情報通知部５１から機種情報としてメーカ名および型番を取得して、これらに基づいて画質推奨サーバ６０に問い合わせることによって画質設定情報を取得して画質調整部５２に供給することができる。
【００９０】
なお、本発明の実施の形態では、ＤＶＤにおけるジャンルや標準的画質設定情報を取得するために、ディスク識別子、タイトルおよびチャプタを用いたが、ディスクデータベース６３０の構成を簡単にするために、ディスク識別子およびタイトル、もしくは、ディスク識別子のみを用いるようにしてもよい。
【００９１】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９２】
すなわち、請求項１において、映像信号発生手段は例えば映像信号発生２０、デジタル放送受信装置２００、または、ディスク再生装置３００に対応し、画質設定情報取得手段は例えば画質設定情報取得部４０に対応する。また、映像信号は例えばアンテナ２０９で受信された放送信号またはＤＶＤ３０９に記録された信号に対応する。また、受像装置は例えば受像部５０に対応し、機種情報は例えばメーカ名および型番に対応する。また、映像情報は放送信号における番組のジャンルやＤＶＤの識別子および論理アドレスに対応する。
【００９３】
また、請求項４において、記録媒体における論理アドレスは、ＤＶＤにおけるタイトルおよびチャプタに対応する。
【００９４】
また、請求項５において、画質調整手段は例えば画質調整部５２に対応する。
【００９５】
また、請求項６において、表示手段は例えば表示部５３に対応する。また、機種情報通知手段は例えば機種情報通知部５１に対応する。
【００９６】
また、請求項１１において、映像処理装置は例えば映像処理装置１０に対応する。また、画質推奨サーバは例えば画質推奨サーバ６０に対応する。また、ネットワークは例えばネットワーク７０に対応する。
【００９７】
また、請求項１２において、標準画質データベースは例えば標準画質データベース６１０に対応する。また、機種データベースは例えば機種データベース６２０に対応する。
【００９８】
また、請求項１３および１４において、記録媒体データベースは例えばディスクデータベース６３０に対応する。
【００９９】
また、請求項１５および１９において、映像信号から映像情報を抽出する手順は例えばステップＳ９１１またはＳ９２１に対応する。また、受像装置の機種情報を取得する手順は例えばステップＳ９１２またはＳ９２２に対応する。また、映像情報と機種情報とに基づいて画質設定情報を取得する手順は例えばステップＳ９１３またはＳ９２３に対応する。また、受像装置に画質設定情報を供給する手順は例えばステップＳ９１５またはＳ９２５に対応する。
【０１００】
また、請求項１６および２０において、放送信号からジャンルを抽出する手順は例えばステップＳ９１１に対応する。また、受像装置の機種情報を取得する手順は例えばステップＳ９１２に対応する。また、ジャンルと機種情報とに基づいて画質設定情報を取得する手順は例えばステップＳ９１３に対応する。また、受像装置に画質設定情報を供給する手順は例えばステップＳ９１５に対応する。
【０１０１】
また、請求項１７および２１において、記録媒体から当該記録媒体の識別子を抽出する手順は例えばステップＳ９２１に対応する。また、受像装置の機種情報を取得する手順は例えばステップＳ９２２に対応する。また、記録媒体の識別子と機種情報とに基づいて画質設定情報を取得する手順は例えばステップＳ９２３に対応する。また、受像装置に画質設定情報を供給する手順は例えばステップＳ９２５に対応する。
【０１０２】
また、請求項１８および２２において、記録媒体から当該記録媒体の識別子および前記記録媒体における論理アドレスを抽出する手順は例えばステップＳ９２１に対応する。また、受像装置の機種情報を取得する手順は例えばステップＳ９２２に対応する。また、前記記録媒体の識別子および前記記録媒体における論理アドレスと前記機種情報とに基づいて画質設定情報を取得する手順は例えばステップＳ９２３に対応する。また、前記受像装置に前記画質設定情報を供給する手順は例えばステップＳ９２５に対応する。
【０１０３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【０１０４】
【発明の効果】
以上の説明で明らかなように、本発明によると、受像装置の機種情報と映像信号に含まれる映像情報とに基づいて画質設定情報を取得して、その画質設定情報により画質調整を行うという効果が得られる。
【図面の簡単な説明】
【図１】本発明の実施の形態における映像処理システムの全体構成例を示す図である。
【図２】本発明の実施の形態における映像信号発生部２０の一具体例のデジタル放送受信装置２００の構成例を示す図である。
【図３】本発明の実施の形態における画質推奨サーバ６０の構成例を示す図である。
【図４】本発明の実施の形態における標準画質データベース６１０の構成例を示す図である。
【図５】本発明の実施の形態における機種データベース６２０の構成例を示す図である。
【図６】番組配列情報におけるイベント情報テーブル（ＥＩＴ）７１０の構成を示す図である。
【図７】本発明の実施の形態において画質設定情報取得部４０から画質推奨サーバ６０への問合せに用いられる画質検索データの一例を示す図である。
【図８】本発明の実施の形態において画質推奨サーバ６０から画質設定情報取得部４０への回答に用いられる画質設定データの一例を示す図である。
【図９】本発明の実施の形態における処理手順の一例を示す図である。
【図１０】本発明の実施の形態における映像信号発生部２０の他の具体例のディスク再生装置３００の構成例を示す図である。
【図１１】ＤＶＤのビデオフォーマットを示す図である。
【図１２】本発明の実施の形態におけるディスクデータベース６３０の一の構成例を示す図である。
【図１３】本発明の実施の形態におけるディスクデータベース６３０の他の構成例を示す図である。
【図１４】本発明の実施の形態における処理手順の他の例を示す図である。
【符号の説明】
１０  映像処理装置
２０  映像信号発生部
４０  画質設定情報取得部
５０  受像部
５１  機種情報通知部
５２  画質調整部
５３  表示部
６０  画質推奨サーバ
７０  ネットワーク
２００  デジタル放送受信装置
２０９  アンテナ
２１０、３１０  プロセッサ
２２０、３２０  メモリ
２３０、３３０  フラッシュメモリ
２４０  チューナ
２５０、３５０  復調部
２６０、３６０  デマルチプレクサ
２６７、３６７  音声復号部
２６８、３６８  映像復号部
２７０、３７０  Ａ／Ｄ変換部
２７７、３７７  音声出力部
２７８、３７８  映像出力部
２８０、３８０  バス
２９０、３９０  インターフェース
３００  ディスク再生装置
３０９  ディスク
３４０  信号検出部
６００  データベース
６１０  標準画質データベース
６２０  機種データベース
６３０  ディスクデータベース
６７０  要求解析部
６８０  データベース管理部
６９０  応答部
７１０  イベント情報テーブル
【図１】
2004336317.tif 000003
【図２】
2004336317.tif 000004
【図３】
2004336317.tif 000005
【図４】
2004336317.tif 000006
【図５】
2004336317.tif 000007
【図６】
2004336317.tif 000008
【図７】
2004336317.tif 000009
【図８】
2004336317.tif 000010
【図９】
2004336317.tif 000011
【図１０】
2004336317.tif 000012
【図１１】
2004336317.tif 000013
【図１２】
2004336317.tif 000014
【図１３】
2004336317.tif 000015
【図１４】
2004336317.tif 000016